(57)【要約】【課題】運搬用容器から外れ難いカード保持具及びこれを備えたカード保持具付き運搬用容器を提供する。【解決手段】カード保持具２は、基部３と押さえ部４とを備える。基部３は、運搬用容器５の側面から突出した設置部７３に対向し、運搬用容器５の側面に沿って延びる。押さえ部４は、基部３から設置部７３とは反対側に向かって突出する。基部３は、一対の係止部３０を有する。一対の係止部３０は、基部３における運搬用容器５の設置部７３側の面から突出し、運搬用容器５の設置部７３に形成された一対の係止孔７４にそれぞれ係止可能である。押さえ部４は、挿入孔４１を有する。挿入孔４１には、運搬用容器５の側面から突出した挿入部７５を挿入可能である。一対の係止部３０は、基部３の長手方向の両端部側にそれぞれ形成され、基部３の長手方向において挿入孔４１よりも外側に位置している。【選択図】図４
2019202807.tif 000002
【特許請求の範囲】
【請求項１】
運搬用容器に取り付けられるカード保持具であって、
前記運搬用容器の側面から突出した設置部に対向し、かつ、前記運搬用容器の前記側面に沿って延びる基部と、
前記基部から前記設置部とは反対側に向かって突出し、前記運搬用容器の前記側面側にカードを押さえる押さえ部とを備え、
前記基部は、
前記基部における前記運搬用容器の前記設置部側の面から突出し、前記運搬用容器の前記設置部に形成された一対の係止孔にそれぞれ係止可能な一対の係止部を有し、
前記押さえ部は、
前記運搬用容器の前記側面から突出した挿入部を挿入可能な挿入孔を有し、
前記一対の係止部は、前記基部の長手方向の両端部側にそれぞれ形成され、かつ、前記長手方向において前記挿入孔よりも外側に位置した、
カード保持具。
【請求項２】
運搬用容器と、
前記運搬用容器に取り付けられるカード保持具とを具備し、
前記運搬用容器は、
前記運搬用容器の側面から突出した設置部と、
前記側面から突出した挿入部とを備え、
前記カード保持具は、
前記設置部に対向し、かつ、前記運搬用容器の前記側面に沿って延びる基部と、
前記基部から前記設置部とは反対側に向かって突出し、前記運搬用容器の前記側面側にカードを押さえる押さえ部とを備え、
前記設置部は、
前記基部側に向かって開口した一対の係止孔を有し、
前記基部は、
前記基部における前記設置部側の面から突出し、前記一対の係止孔にそれぞれ係止可能な一対の係止部を有し、
前記押さえ部は、
前記挿入部を挿入可能な挿入孔を有し、
前記一対の係止部は、前記基部の長手方向の両端部側にそれぞれ形成され、かつ、前記長手方向において前記挿入孔よりも外側に位置した、
カード保持具付き運搬用容器。
【発明の詳細な説明】
【技術分野】
【０００１】
本開示は、カード保持具及びカード保持具付き運搬用容器に関し、詳しくは、運搬用容器に取り付けられるカード保持具及びこれを備えたカード保持具付き運搬用容器に関する。
【背景技術】
【０００２】
特許文献１には、運搬用容器に取り付けられ、その収納物の名称や属性、ロット番号、バーコード等の情報が表示されたカードを保持するカード差しが開示されている。このカード差しは、運搬用容器の側壁外面に形成された下フランジの上面に沿って配置される長手基板と、長手基板上に立設された前板及び背板を備えている。カードは前板と背板との間に挿入されて保持される。長手基板の下面における長手方向の中間部の二箇所には、一対の係合片が突設されている。長手基板は、フランジに形成された一対の透孔に一対の係合片を嵌入させ、長手基板の後側縁の上面に運搬用容器の側壁外面に形成された３つの突起を係合させることにより、フランジに固着される。
【先行技術文献】
【特許文献】
【０００３】
【特許文献１】特開２００５−２０６１７９号公報
【発明の概要】
【発明が解決しようとする課題】
【０００４】
ところで、上述したカード差しの一対の係合片は、長手基板の下面における長手方向の中間部に形成される。このため、カードの取付時や、運搬用容器の折り畳み状態での段積みする際の運搬用容器をスライドさせた時等には、カード差しの前板が前方向にめくり上がり、長手基板の長手方向の端部がフランジから離れるように変形してめくれる可能性がある。この場合、透孔から係合片が抜け出て、カード差しが運搬用容器から外れるおそれがある。
【０００５】
本開示は上記事由に鑑みてなされており、運搬用容器から外れ難いカード保持具及びこれを備えたカード保持具付き運搬用容器を提供することを目的とする。
【課題を解決するための手段】
【０００６】
本開示の一態様に係るカード保持具は、運搬用容器に取り付けられるカード保持具であって、以下の構成を有する。前記カード保持具は、基部と押さえ部とを備える。前記基部は、前記運搬用容器の側面から突出した設置部に対向し、かつ、前記運搬用容器の前記側面に沿って延びる。前記押さえ部は、前記基部から前記設置部とは反対側に向かって突出し、前記運搬用容器の前記側面側にカードを押さえる。前記基部は、一対の係止部を有する。前記一対の係止部は、前記基部における前記運搬用容器の前記設置部側の面から突出し、前記運搬用容器の前記設置部に形成された一対の係止孔にそれぞれ係止可能である。前記押さえ部は、挿入孔を有する。前記挿入孔には、前記運搬用容器の前記側面から突出した挿入部を挿入可能である。前記一対の係止部は、前記基部の長手方向の両端部側にそれぞれ形成される。前記一対の係止部は、前記長手方向において前記挿入孔よりも外側に位置する。
【０００７】
本開示の一態様に係るカード保持具付き運搬用容器は、運搬用容器とカード保持具とを具備する。前記カード保持具は、前記運搬用容器に取り付けられる。前記運搬用容器は、設置部と挿入部とを備える。前記設置部は、前記運搬用容器の側面から突出する。前記挿入部は、前記側面から突出する。前記カード保持具は、基部と押さえ部とを備える。前記基部は、前記設置部に対向し、かつ、前記運搬用容器の前記側面に沿って延びる。前記押さえ部は、前記基部から前記設置部とは反対側に向かって突出し、前記運搬用容器の前記側面側にカードを押さえる。前記設置部は、一対の係止孔を有する。前記一対の係止孔は、前記基部側に向かって開口する。前記基部は、一対の係止部を有する。前記一対の係止部は、前記基部における前記設置部側の面から突出し、前記一対の係止孔にそれぞれ係止可能である。前記押さえ部は、挿入孔を有する。前記挿入孔には、前記挿入部を挿入可能である。前記一対の係止部は、前記基部の長手方向の両端部側にそれぞれ形成される。前記一対の係止部は、前記長手方向において前記挿入孔よりも外側に位置する。
【発明の効果】
【０００８】
上述した一態様に係るカード保持具及びカード保持具付き運搬用容器では、カード保持具を運搬用容器から外れ難くすることができる。
【図面の簡単な説明】
【０００９】
【図１】図１Ａ〜図１Ｄは、本開示に係る一実施形態のカード保持具を示し、図１Ａは正面図であり、図１Ｂは右側面図であり、図１Ｃは底面図であり、図１Ｄは背面図である。
【図２】図２Ａは、図１ＡのＡ−Ａ線断面図であり、図２Ｂは図１ＡのＢ−Ｂ線断面図である。
【図３】図３は、同上のカード保持具を具備したカード保持具付き運搬用容器の斜視図である。
【図４】図４は、同上のカード保持具付き運搬用容器の分解斜視図である。
【図５】図５Ａ及び図５Ｂは、同上のカード保持具付き運搬用容器の要部を示し、図５Ａは、図２Ａに対応する断面図であり、図５Ｂは、図２Ｂに対応する断面図である。
【図６】図６は、同上のカード保持具付き運搬用容器を折り畳んだ状態を示した斜視図である。
【発明を実施するための形態】
【００１０】
（１）概要
図１Ａ〜図１Ｄ、図２Ａ及び図２Ｂに示す本実施形態のカード保持具２は、例えば、図３に示すように、運搬用容器５に取り付けられて利用される。
【００１１】
カード保持具２は、図４に示すように、基部３と、押さえ部４とを備えている。基部３は、運搬用容器５の側面から突出した設置部７３に対向し、かつ、運搬用容器５の側面に沿って延びる（長く形成されている）。押さえ部４は、基部３から運搬用容器５の設置部７３とは反対側に向かって突出し、運搬用容器５の側面側にカード８（図５Ａ及び図５Ｂ参照）を押さえる。
【００１２】
基部３は、一対の係止部３０を有している。一対の係止部３０の各々は、基部３における運搬用容器５の設置部７３側の面から突出している。一対の係止部３０は、運搬用容器５の設置部７３に形成された一対の係止孔７４にそれぞれ係止可能である。ここで、本開示における「係止」とは、係止部３０が設置部７３の対応する係止孔７４の縁部に引っ掛かることを意味する。なお、カード保持具２が運搬用容器５へ取り付けられた状態における各係止部３０は、設置部７３の対応する係止孔７４の縁部に接した状態であってもよいし、設置部７３の対応する係止孔７４の縁部との間にわずかな隙間を介して配置されてもよい。
【００１３】
押さえ部４は、挿入孔４１を有している。挿入孔４１には、運搬用容器５の側面から突出した挿入部７５（図４参照）を挿入可能である。一対の係止部３０は、基部３の長手方向の両端部側にそれぞれ形成されている。また、一対の係止部３０は、基部３の長手方向において、挿入孔４１よりも外側に位置している。
【００１４】
本実施形態のカード保持具２は、基部３の長手方向の両端部側に形成された一対の係止部３０が、設置部７３に形成された一対の係止孔７４にそれぞれ係止されるため、基部３の長手方向の両端部側が運搬用容器５の側面から離れる方向に変形することが抑制される。このため、各係止部３０は対応する係止孔７４から外れ難くなり、カード保持具２が運搬用容器５から外れ難くなる。
【００１５】
なお、本開示における「両端部側」とは、基部３の長手方向の両端部と、この両端部の近傍部分とを合わせた部分を意味する。すなわち、各係止部３０は、カード保持具２が運搬用容器５に取り付けられた状態において、基部３の長手方向の両端部が変形することが抑制され、運搬用容器５から外れ難い状態になるのであれば、基部３の長手方向の両端部に形成されてもよいし、基部３の長手方向の両端部からやや内側の位置に形成されてもよい。
【００１６】
（２）詳細
以下、添付図面に基づいて、カード保持具付き運搬用容器１について詳述する。図３に示すように、本実施形態のカード保持具付き運搬用容器１は、運搬用容器５と、カード保持具２とを具備している。
【００１７】
本実施形態の運搬用容器５は、折り畳みコンテナであり、折り畳み可能な構造を有している。以下では、特に記載する場合を除き、図３に示すように運搬用容器５が箱状に組み立てられた状態におけるカード保持具付き運搬用容器１について説明する。
【００１８】
本実施形態の運搬用容器５は、樹脂製であり、詳しくはポリプロピレンから形成されている。運搬用容器５の形状は、上方に開口した直方体箱状である。運搬用容器５は、底部６と、四方の側壁部７とを備えている。底部６及び四方の側壁部７の各々は、矩形板状に形成されている。各側壁部７の下端部を構成する一辺は、底部６の対応する辺に回転可能に連結されている。
【００１９】
運搬用容器５は、四方の側壁部７として、対向する一対の第１側壁部７１と、対向する一対の第２側壁部７２とを備えている。一対の第１側壁部７１は、底部６の一対の長辺にそれぞれ回転可能に連結されている。一対の第２側壁部７２は、底部６の一対の短辺にそれぞれ回転可能に連結されている。
【００２０】
運搬用容器５は、各側壁部７を底部６に対して回転させることで、図３に示すように箱状に組み立てたり、図６に示すように折り畳んだりすることができる。図３に示すように運搬用容器５が箱状に組み立てられたとき、各側壁部７は底部６から上方に向かって突出した起立姿勢となる。図６に示すように運搬用容器５が折り畳まれたとき、各側壁部７は、底部６上において横に倒れた姿勢となり、底部６と重なる。
【００２１】
本実施形態の運搬用容器５は、折り畳まれたときに、底部６の上に一対の第１側壁部７１が配置され、一対の第１側壁部７１の上に一対の第２側壁部７２が配置される。組み立てられた運搬用容器５は、各第１側壁部７１を底部６の上に倒した後、各第２側壁部７２を一対の第１側壁部７１の上に倒すことで、折り畳むことができる。
【００２２】
図３に示す運搬用容器５の各側壁部７の外面は、運搬用容器５の外側面を構成する。また、運搬用容器５の各側壁部７の内面は、運搬用容器５の内側面を構成する。本実施形態のカード保持具２は、第１側壁部７１の外面（すなわち、運搬用容器５の外側面）に沿った状態で、第１側壁部７１に取り付けられている。
【００２３】
以下では、第１側壁部７１の長手方向を左右方向とし、第１側壁部７１からカード保持具２に向かう方向を前方、カード保持具２から第１側壁部７１に向かう方向を後方として、カード保持具付き運搬用容器１の各構成について説明する。
【００２４】
運搬用容器５の第１側壁部７１は、カード保持具２を設置可能な設置部７３を有している。設置部７３は、第１側壁部７１の外面（すなわち、運搬用容器５の外側面）から、外側方に向かって突出している。
【００２５】
本実施形態の設置部７３は、第１側壁部７１の下端部に形成されたリブにより構成されている。設置部７３は、第１側壁部７１の外面（前面）に沿って左右方向（第１側壁部７１の長手方向）に延びた水平な板状に形成されている。設置部７３の長手方向は、左右方向である。設置部７３は、第１側壁部７１の長手方向の全長にわたっている。カード保持具２は、設置部７３の左右方向の中央部の上に、設置されている。
【００２６】
図４に示すように、設置部７３は、カード保持具２の一対の係止部３０をそれぞれ挿入可能な一対の係止孔７４を有している。一対の係止孔７４は、設置部７３における左右方向（設置部７３の長手方向）の中央部に形成されており、左右方向に間隔をあけて並んでいる。各係止孔７４は、設置部７３を上下方向（設置部７３の厚み方向）に貫通しており、上方から見て矩形状に形成されている。
【００２７】
運搬用容器５の第１側壁部７１は、複数の挿入部７５を更に有している。各挿入部７５は、第１側壁部７１の外面から外側方に向かって突出している。
【００２８】
本実施形態の第１側壁部７１は、複数の挿入部７５として、三つの挿入部７５を有している。複数の挿入部７５は、第１側壁部７１の下部に形成されており、設置部７３の直上に位置している。複数の挿入部７５は、設置部７３の長手方向に間隔をあけて並んでいる。複数の挿入部７５の全部は、左右方向において、一対の係止孔７４の間に位置している。本実施形態の各挿入部７５は、設置部７３の上面に沿って延び、上方から見て矩形状の水平な板状に形成されている。各挿入部７５は、その前端が設置部７３の前端と前後方向において略同等となる位置まで延びている。なお、各挿入部７５の前端は、前後方向において設置部７３の前端と全く同じ位置に位置してもよいし、設置部７３の前端よりも前方又は設置部７３の前端よりも後方に位置してもよい。
【００２９】
本実施形態のカード保持具２は、図５Ａ及び図５Ｂに示すように、第１側壁部７１の外面に沿って配置されたカード８を第１側壁部７１とで挟み込んで保持する。カード８には、例えば、運搬用容器５に収容される内容物の情報が記される。
【００３０】
本実施形態のカード保持具２は、合成樹脂製である。具体的にカード保持具２は、透明な樹脂で形成されており、ポリプロピレンから形成されている。カード保持具２で保持されたカード８は、カード保持具２の前方からカード保持具２を透かして視認することができる。
【００３１】
カード保持具２は、設置部７３に設置される基部３と、基部３から上方に向かって突出した押さえ部４とを備えている。
【００３２】
基部３は、設置部７３上に載せられて、設置部７３の上面に沿って配置されている。本実施形態の基部３は、設置部７３の上面に沿って左右方向に延びた水平な板状に形成されている。
【００３３】
図４に示すように、基部３は、一対の係止部３０を有している。一対の係止部３０は、運搬用容器５の一対の係止孔７４にそれぞれ一対一で対応し、各係止部３０は、対応する係止孔７４に係止されている。
【００３４】
各係止部３０は、基部３における左右方向（基部３の長手方向）の両端部に形成されている。各係止部３０は、下方から見て、対応する係止孔７４と合致する矩形状に形成されている。本実施形態の各係止部３０は、図５Ｂに示すように、基部３の後部から下方に突出している。各係止部３０は、対応する係止孔７４に配置されて係止されている。これにより、基部３の前後方向及び左右方向の移動が規制されている。
【００３５】
本実施形態の各係止部３０は、側方から見て台形状に形成されている。各係止部３０の前面３１は、水平面に対して垂直であり、各係止部３０の後面３２は、上端に近い部分ほど後方に位置するように傾斜している。このため、各係止部３０を対応する係止孔７４に上方から挿入する際には、各係止部３０が設置部７３に沿ってスライドしたときの抵抗が小さくなり、各係止部３０を対応する係止孔７に嵌めやすい。
【００３６】
本実施形態の押さえ部４は、基部３の前端部から上方に突出しており、第１側壁部７１の外面に沿って配置されている。押さえ部４は、第１側壁部７１の外面に沿って配置されたカード８を後方（第１側壁部７１側）に押す。これにより、カード８は、押さえ部４と第１側壁部７１とで挟まれて、カード保持具２によって保持される。
【００３７】
本実施形態の押さえ部４は、図１Ｃ及び図１Ｄに示すように、基部３の左右方向の全長にわたって形成されており、第１側壁部７１の外面に沿った板状に形成されている。
【００３８】
本実施形態の押さえ部４は、図４に示すように、根本部４０と延出部４２とを有している。根本部４０は、基部３から上方に突出している。延出部４２は、根本部４０の上端から後斜め上方に延び出ている。
【００３９】
根本部４０は、複数の挿入孔４１を有している。複数の挿入孔４１は、運搬用容器５の複数の挿入部７５とそれぞれ一対一で対応する。すなわち、本実施形態の押さえ部４は、複数の挿入孔４１として、三つの挿入孔４１を有している。複数の挿入孔４１は、根本部４０の下端部（押さえ部４の下端部）に形成されており、左右方向（基部３の長手方向）に間隔をあけて並んでいる。複数の挿入孔４１は、根本部４０における左右方向の両端部の間の部分に形成されている。複数の挿入孔４１の全部は、左右方向において、一対の係止部３０の間に位置している。すなわち、一対の係止部３０は、左右方向において、複数の挿入孔４１の外側に位置している。  本実施形態の各挿入孔４１は、左右方向に延びた長孔であり、前後方向に見て、対応する挿入部７５と合致する矩形状に形成されている。また、各挿入孔４１の下縁は、基部３の上面と同レベルに位置している（図５Ａ参照）。
【００４０】
各挿入孔４１には、図５Ａに示すように、運搬用容器５の対応する挿入部７５が配置されて係止されている。これにより、押さえ部４の下部の上下方向及び左右方向の移動が規制されている。本実施形態の各挿入部７５は、対応する挿入孔４１を通って押さえ部４を貫通しており、各挿入部７５の前端部（先端部）は、押さえ部４の前面から前方に突出している。このため、各挿入孔４１は、対応する挿入部７５から抜け難い。
【００４１】
本実施形態のカード保持具２は、押さえ部４から後方に突出した基部３の上面が、運搬用容器５の各挿入部７５の下面に接した状態で、運搬用容器５に取り付けられており、複数の挿入部７５は、基部３の上方への移動を規制している。
【００４２】
図４に示すように、延出部４２の厚みは、根本部４０の厚みよりも小さい。また、延出部４２の上部４３には、上方及び前後方向に開放された切欠部４５が形成されている。このため、延出部４２は、根本部４０と比較して弾性変形しやすい。
【００４３】
本実施形態の延出部４２の上部４３は、延出部４２の下部４４の左右両側部分からそれぞれ上方に延び出た一対の片部４６で構成されている。一対の片部４６は、左右方向に離間している。上述した切欠部４５は、一対の片部４６の間に形成されている。
【００４４】
一対の片部４６は、根本部４０よりも後方（第１側壁部７１側）に位置している。カード保持具２が運搬用容器５に取り付けられた状態では、各片部４６は、図５Ｂに示すように、第１側壁部７１の外面にカード８を介して又は直接押し付けられる。
【００４５】
各片部４６は、延出部４２の下部４４から後ろ斜め上方に延び出た本体部４７と、本体部４７の上端部から前斜め上方に延び出た先端部４８とを有している。本体部４７と先端部４８との接続部分は、側方から見てＬ字状に曲がった折曲部４９となっている。
【００４６】
押さえ部４は、各片部４６の折曲部４９がカード８の前面（第１側壁部７１とは反対側の面）に接した状態で、カード８を後方に押す。すなわち、本実施形態のカード８は、一対の片部４６の折曲部４９と、第１側壁部７１との間に挟まれて保持される。
【００４７】
カード保持具２は、図５Ａ及び図５Ｂに示すように、各挿入孔４１に後方から運搬用容器５の対応する挿入部７５を挿入しつつ、各係止部３０を運搬用容器５の対応する係止孔７４に上方から挿入して係止することで、運搬用容器５に取り付けられる。このとき、各係止部３０が形成された基部３の左右方向の両端部は、上方向に弾性変形しながら、設置部７３の上面に沿ってスライドし、これにより、各係止部３０は、対応する係止孔７４に上方から嵌め込まれる。
【００４８】
このように運搬用容器５に取り付けられたカード保持具２は、図４に示す基部３の左右方向の両端部に形成された一対の係止部３０が、運搬用容器５の一対の係止孔７４にそれぞれ係止されるため、基部３の左右方向の両端部の変形が抑制される。加えて、一対の係止部３０は、複数の挿入部７５がそれぞれ挿入される複数の挿入孔４１よりも、左右方向において外側に位置している。このため、カード８の取付時や、カード保持具付き運搬用容器１の折り畳み状態での段積みする際にカード保持具付き運搬用容器１をスライドさせた時等に、カード保持具２の押さえ部４が前方向にめくり上がって、各係止部３０が対応する係止孔７４から外れることが抑制され、この結果、カード保持具２が運搬用容器５から外れ難くなる。
【００４９】
また、基部３は左右方向に延びた形状であるため、左右方向の両端部が上方向に移動するように弾性変形しやすい。このため、カード保持具２を運搬用容器５に取り付ける際には、基部３を弾性変形させて係止部３０の位置を容易に変更することができる。したがって、カード保持具２を運搬用容器５に容易に取り付けることができる。
【００５０】
ここで、図１Ａに示すように、基部３の左右方向の端から当該端に近い係止部３０の左右方向の中心までの左右方向の寸法をＬ１とし、かつ、前記端から当該端に最も近い挿入孔４１までの左右方向の寸法をＬ２としたとき、各係止部３０は、Ｌ１がＬ２の１／２以下となる位置に形成されることが好ましく、Ｌ１がＬ２の１／３以下となる位置に形成されることが好ましい。このようにすることで、各係止部３０は、対応する係止孔７４から一層外れ難くなる。また、一対の係止部３０の左右方向の間隔は、基部３の左右方向の長さの８割以上であることが好ましい。
【００５１】
また、カード８（図５Ａ及び図５Ｂ参照）は、運搬用容器５に取り付けられたカード保持具２の押さえ部４と、これに対応する運搬用容器５の第１側壁部７１との間に、上方又は側方から差し込まれることで、運搬用容器５に取り付けられる。
【００５２】
本実施形態のカード保持具付き運搬用容器１は、適宜設計変更可能である。例えば、カード保持具２が有する挿入孔４１の数は、限定されない。例えば、カード保持具２は、挿入孔４１を四つ以上有してもよいし、挿入孔４１を二つだけ、あるいは一つだけ有してもよい。
【００５３】
また、カード保持具２は、ポリプロピレン以外の樹脂から形成されてもよいし、樹脂以外の材料から形成されてもよい。
【００５４】
また、運搬用容器５の設置部７３の形状は、上方から見て矩形状の水平な板状に限定されず、その他の形状であってもよい。
【００５５】
また、運搬用容器５の各係止孔７４は、設置部７３の基部３側に向かって開口した有底の穴であってもよい。すなわち、各係止孔７４は、少なくとも設置部７３の基部３側に向かって開口した孔であればよい。
【００５６】
また、カード保持具２の各挿入孔４１は、第１側壁部７１側に向かって開口した有底の穴であってもよい。すなわち、各挿入孔４１は、少なくとも第１側壁部７１側に向かって開口した孔であればよい。
【００５７】
また、カード保持具２は、第１側壁部７１の内面に沿った状態で、第１側壁部７１に取り付けられてもよい。また、カード保持具２は、第２側壁部７２の内面又は外面に沿った状態で、第２側壁部７２に取り付けられてもよい。つまり、カード保持具２は、運搬用容器５の外側面又は内側面で構成される側面に沿った状態で、運搬用容器５に取り付けられればよい。カード保持具２が第２側壁部７２に取り付けられる場合、一対の係止孔７４を含む設置部７３と、複数の挿入部７５は、第２側壁部７２に形成される。
【００５８】
また、本実施形態のカード保持具２は、運搬用容器５に対して、押さえ部４を基部３から上方に突出した姿勢で取付けられるが、例えば、運搬用容器５の側面の上部から突出した水平な設置部に対して、カード保持具２全体を上下反転させた姿勢で取り付けられてもよい。また、カード保持具２は、例えば、運搬用容器５の側面の側端部から突出した水平に対して垂直な設置部に対して、カード保持具２全体を横向きにした姿勢で取付けられてもよい。
【００５９】
また、運搬用容器５は、折り畳まれたときに、底部６の上に一対の第２側壁部７２が配置され、一対の第２側壁部７２の上に一対の第１側壁部７１が配置されるように構成されてもよい。また、運搬用容器５の形状は限定されず、例えば、上方に開口した立方体箱状であってもよい。また、運搬用容器５は、ポリプロピレン以外の樹脂から形成されてもよいし、樹脂以外の材料から形成されてもよい。また、運搬用容器５は、折り畳みコンテナに限られず、例えば、折り畳み可能な構造を有さないコンテナであってもよい。
【００６０】
（３）まとめ
以上説明した実施形態から明らかなように、第１の態様のカード保持具２は、運搬用容器５に取り付けられるカード保持具２であって、以下に示す構成を有する。カード保持具２は、基部３と押さえ部４とを備えている。基部３は、運搬用容器５の側面から突出した設置部７３に対向し、かつ、運搬用容器５の側面に沿って延びている。押さえ部４は、基部３から設置部７３とは反対側に向かって突出し、運搬用容器５の側面側にカード８を押さえる。基部３は、一対の係止部３０を有している。一対の係止部３０は、基部３における運搬用容器５の設置部７３側の面から突出し、運搬用容器５の設置部７３に形成された一対の係止孔７４にそれぞれ係止可能である。押さえ部４は、挿入孔４１を有している。挿入孔４１には、運搬用容器５の側面から突出した挿入部７５を挿入可能である。一対の係止部３０は、基部３の長手方向の両端部側にそれぞれ形成され、かつ、基部３の長手方向において挿入孔４１よりも外側に位置している。
【００６１】
また、第２の態様のカード保持具付き運搬用容器１は、以下に示す構成を有する。カード保持具付き運搬用容器１は、運搬用容器５と、カード保持具２とを具備している。カード保持具２は、運搬用容器５に取り付けられる。運搬用容器５は、設置部７３と挿入部７５とを備えている。設置部７３は、運搬用容器５の側面から突出している。挿入部７５は、運搬用容器５の側面から突出している。カード保持具２は、基部３と押さえ部４とを備えている。基部３は、設置部７３に対向し、かつ、運搬用容器５の側面に沿って延びている。押さえ部４は、基部３から設置部７３とは反対側に向かって突出し、運搬用容器５の側面側にカード８を押さえる。設置部７３は、一対の係止孔７４を有している。一対の係止孔７４は、基部３側に向かって開口している。基部３は、一対の係止部３０を有している。一対の係止部３０は、基部３における設置部７３側の面から突出し、一対の係止孔７４にそれぞれ係止可能である。押さえ部４は、挿入孔４１を有している。挿入孔４１には、挿入部７５を挿入可能である。一対の係止部３０は、基部３の長手方向の両端部側にそれぞれ形成され、かつ、基部３の長手方向において挿入孔４１よりも外側に位置している。
【００６２】
第１及び第２の態様によれば、基部３の長手方向の両端部側に形成された一対の係止部３０が、設置部７３に形成された一対の係止孔７４にそれぞれ係止されるため、基部３の長手方向の両端部の変形が抑制される。このため、各係止部３０は対応する係止孔７４から外れ難くなり、カード保持具２が運搬用容器５から外れ難くなる。
【符号の説明】
【００６３】
１  カード保持具付き運搬用容器
２  カード保持具
３  基部
３０  係止部
４  押さえ部
４１  挿入孔
５  運搬用容器
７３  設置部
７４  係止孔
７５  挿入部
８  カード
【図１】
2019202807.tif 000003
【図２】
2019202807.tif 000004
【図３】
2019202807.tif 000005
【図４】
2019202807.tif 000006
【図５】
2019202807.tif 000007
【図６】
2019202807.tif 000008